(57)【特許請求の範囲】
【請求項１】
法面に用いられる積みブロックであって、前後両方向から平面視Ｖ字状に切り込み部（３）を設けて、側面（４）同士を所定奥行きの連結部（５）で連結した複数のブロック部（２）を並列に連続形成し、前記連結部（５）の奥行き方向でほぼ中心位置には長手方向に、クレーンで吊り上げた際の垂直方向への撓みを防止する分離防止筋（６）を上下二段に水平に埋設してなることを特徴とする護岸用ブロック。
【請求項２】
連結部（５）には、該連結部（５）の前後にＶ字状の誘導目地（８）を形成し、河川の線形に合わせた曲線施工を可能にした請求項１に記載の護岸用ブロック。
【請求項３】
法面に用いられる連結型の張りブロックであって、
１枚の大きいほぼ四角形板状体を、ほぼ同じ大きさの複数個のブロック体（１３）に区画し、隣接する該ブロック体（１３）を連結部（５）で連結し、該連結部（５）を除いた前記隣接するブロック体（１３）間に隙間（１４）を形成し、前記連結部（５）の高さ方向でほぼ中心位置には、ブロック体（１３）同士を分離不能に縦横に分離防止筋（６）を配設し、さらに前記連結部（５）には、該連結部（５）の表裏面をＶ字状に削設した第２誘導目地（８ａ）を形成したことを特徴とする張りブロック。
【請求項４】
張りブロック（１２）には、該張りブロック（１２）の隣接位置に対応するブロック部（１３）に連結用輪（１５）を配設した請求項３に記載の張りブロック。
【発明の詳細な説明】
【技術分野】
【０００１】
本発明は、河川等の法面に施工される護岸用ブロック及び張りブロックに関するものである。
【背景技術】
【０００２】
従来の技術としては、法面に用いられる積みブロックにおいて、上下に重ね合せるコンクリート製ブロック単体を横方向に並設し、隣合う前記ブロック単体間に前後に連通する隙間を設けると共に、それらブロック単体を連結材により連結し、前記ブロック単体間の前記隙間には前記連結材が露出し、前記ブロック単体の左右の側面間は後方に向って幅狭になるように形成され、前記ブロック単体の上下には相互に重ね合わせ可能でほぼ水平な上，下重ね合わせ面が設けられている積みブロックがある。
【０００３】
また、前記ブロック単体は１本の前記連結材により連結し、前記連結材に固定したアンカーを前記ブロック単体の左右方向中央に埋設されている。
【０００４】
さらに、上下に重ね合せるコンクリート製ブロック単体を横方向に並設し、隣合う前記ブロック単体間の隙間に吸出防止部材を設ける積みブロック用吸出防止構造において、前記ブロック単体の左右側部に形成されたほぼ上下方向の溝と、前記吸出防止部材の左右方向両側に設けられ前記溝にスライド挿入する挿入縁とを備える積みブロック用吸出防止構造がある(特許文献1、２参照)。
また、連結型の張りブロックとしては、特許文献３のようなものがある。
【０００５】
【特許文献１】特開２００１−１１５４６７
【特許文献２】特開２００２−３１７４５０
【特許文献３】特開平7−１０２５８２
【発明の開示】
【発明が解決しようとする課題】
【０００６】
上記従来の技術によれば、(1)単体のブロックは、隣合う前記ブロック単体間に前後に連通する隙間を設け、それらブロック単体を連結材により連結し、前記ブロック単体間の前記隙間には前記連結材が露出させてブロック単体同士を連結している。この場合、ブロック単体間は分離状態にあるため、運搬時、あるいは施工時に吊上げ作業を行う場合、ブロック単体全てに吊具を取りつけた状態で吊上げ作業を行なわないと上下方向（垂直方向）に撓みが生じるため、取扱いが煩雑で作業性が悪いという問題点がある。
【０００７】
(２)ブロック単体間は、隙間を設けて連結筋で連結してあり、ブロックには前後に連通する隙間があるため、裏込め材や胴込め材の流出を防止するための吸出防止部材を設置する必要があり、施工が煩雑になるという問題点がある。
【０００８】
（3）法面に用いられる連結型の張りブロックでは、施工の際に各ブロックを連結する作業が必要であり、従来の張りブロックの大きさは１ｍ２程度の製品が一般的であるため、施工面積が広い場合、その連結作業は膨大なものとなり、かつ、人力でしか行うことができないため、機械化などによる省力化ができず、施工には大変な労力と時間が必要であるという問題がある。
【０００９】
(4)また、施工性を高める観点から、ブロック単体を大型化すると法面の起伏などの変化に対応することが困難になるという問題がある。
【００１０】
そこで、本発明は、上記課題に鑑みて発明されたもので、河川の線形に合わせた曲線施工の施工性に優れ、運搬及び施工作業を効率的に行うことが可能な護岸用ブロック、及び法面の起伏への追従性を可能にし、さらに運搬及び施工作業を効率的に行うことが可能な張りブロックの提供を目的としている。
【課題を解決するための手段】
【００１１】
先ず、本発明の請求項１の発明に係る護岸用ブロックは、
法面に用いられる積みブロックであって、前後両方向から平面視Ｖ字状に切り込み部３を設けて、側面４同士を所定奥行きの連結部５で連結した複数のブロック部２を並列に連続形成し、前記連結部５の奥行き方向でほぼ中心位置には長手方向に、クレーンで吊り上げた際の垂直方向への撓みを防止する分離防止筋６を上下二段に水平に埋設してなることを特徴としている。
【００１２】
請求項２の護岸用ブロックは、請求項１において、
連結部５には、該連結部５の前後にＶ字状の誘導目地８を形成し、河川の線形に合わせた曲線施工を可能にしたことを特徴としている。
【００１３】
次に、請求項３の張りブロックは、
法面に用いられる連結型の張りブロックであって、
１枚の大きいほぼ四角形板状体を、ほぼ同じ大きさの複数個のブロック体１３に区画し、隣接する該ブロック体１３を連結部５で連結し、該連結部５を除いた前記隣接するブロック体１３間に隙間１４を形成し、前記連結部５の高さ方向でほぼ中心位置には、ブロック体１３同士を分離不能に縦横に分離防止筋６を配設し、さらに前記連結部５には、該連結部５の表裏面をＶ字状に削設した第２誘導目地８ａを形成したことを特徴としている。
【００１５】
請求項４の張りブロックは、請求項３において、
張りブロック１２には、該張りブロック１２の隣接位置に対応するブロック部１３に連結用輪１５を配設したことを特徴としている。
【発明の効果】
【００１６】
本発明は、以下の効果を奏するものである。
（1）請求項1の発明によれば、護岸の法面に沿って組み積みされ、河川が曲がっている場所では連結部にクラックを入れ亀裂を生じさせることで、河川の形状に合わせて曲線施工することが容易に、かつ効率的にできる。一方、各ブロック部は該当連結部に亀裂を入れても分離防止筋により連結状態は保持される。
【００１７】
(2)請求項１の発明によれば、連結部の奥行き方向のほぼ中心位置に、水平保持可能に上下二段に分離防止筋を水平に埋設した構成であるため、連結状態及び亀裂を生じさせた状態においても護岸用ブロックの垂直方向（上下方向）への撓みが防止でき、２点でも吊り上げ作業が可能である。その結果、ブロック体は連結部に亀裂を入れても各ブロック体は、移動や施工の際に、安定した状態で水平状態に維持できるため、取扱いが容易で、施工性に優れている。
【００１８】
（3）請求項1の発明によれば、各ブロック部は連結部で一体に形成されているため、裏込め材、あるいは胴込め材などの流出を防止する吸出し防止材を配置する必要がない。また、連結部にクラックを入れて、曲線施工した場合も分離防止筋によりブロック部の連結状態は保持されており、かつ、連結部に亀裂を入れた部分のひび割れは、連結部の前側が引っ張り側となって開いた場合には、逆に後側は圧縮側となり、閉じることになる。その結果、裏込め材、あるいは胴込め材などが流出する隙間が生じることはない。従って、亀裂を生じさせた連結部に吸出し防止材を配置する必要はなく、施工時間の短縮とコストの削減が可能となる。
【００１９】
(４) 請求項１の発明によれば、ブロック部同士は連結部と分離防止筋により一体に連結されているため、２点での吊り上げが可能である。従って、工場から施工現場等への搬送時においてはブロック部はバラバラにならず全体を一体に搬送することができる。
【００２０】
(５)請求項１の発明によれば、ブロック部相互は、連結部と分離防止筋により一体に連結されているので、施工現場において複数のブロック部を水平に並設させた状態で施工できる。従って、施工性は従来の護岸用ブロックの場合より格段に良いものである。
【００２１】
(６)請求項２の発明によれば、連結部の前後に誘導目地を形成しているため、連結部に亀裂を生じさせ曲げる際に誘導目地に沿ってクラックを簡単に入れることができ、不規則なクラックが発生することによる、不必要なひび割れがブロック部に及ばない。
【００２２】
(７)請求項３の発明によれば、１個のブロックの大きさは３ｍ２〜５ｍ２と大型であるため、施工性がよく省力化が図れる。また、連結部と分離防止筋により、運搬時や施工時に、ブロックの区画数や大きさに応じて、２点、あるいは４点で吊上げた場合でもブロック部がバラけることがなく水平状態を保持して運搬及び施工できる。しかも、起伏のある法面を施工する場合には、連結部分にクラックを入れて可撓性をもたせることで、背後地盤に追従させた施工が容易となる。
【００２３】
(８)請求項３の発明によれば、連結部の表裏面に誘導目地を形成しているため、連結部に亀裂を入れる際に誘導目地に沿ってクラックを入れて容易に曲げることができ、不規則なクラックの発生による、不必要なひび割れがブロック部に及ぶことを防止できる。
【００２４】
(９)請求項４の発明によれば、大型の張りブロック相互は連結用輪を連結金具で連結することにより一体に連結できる。また、大型の張りブロックを使用することにより、河川の流水に対して強固で、かつ安定した護岸が施工できる。
【発明を実施するための最良の形態】
【００２５】
図１から図９に図示した本発明の河川等の法面に施工される護岸用ブロック１は、図８のように、河川等の法面１１に沿って基礎ブロック１１ａ上に組み積みされる積みブロックであって、主に中流部から上流部の水衝部等転石の影響を受ける場所に設置される。
【００２６】
前記護岸用ブロック１は、図１、図２のように、前後両方向から平面視Ｖ字状に切り込み部３を設けて、側面４同士を所定奥行きの連結部５で連結した複数のブロック部２が並列に連続形成されている。
【００２７】
各ブロック部２の正面の表面２ａには、自然な景観と合致させるために擬似自然石に形成するのがよい。
【００２８】
前記連結部５の奥行き方向Ｌでほぼ中心位置には長手方向に、クレーン機器等で吊り上げた際に垂直方向への撓みを防止する分離防止筋６が上下二段に水平に埋設され、水平保持可能にされている。
【００２９】
前記護岸用ブロック１は、連結部５の奥行きＬは、護岸用ブロック１の長手方向の長さが２０００ｍｍ、各ブロック部２の横幅が３６０ｍｍの場合は４０ｍｍ程度に形成されている。
【００３０】
また、分離防止筋６は、クレーン等により２点で吊り上げても垂直方向に撓ず、かつ、連結部にクラックを入れて亀裂を生じさせて、水平方向への曲げが可能となるように、φ６ｍｍ程度の太さの鉄筋を使用するのが良い。また、分離防止筋６は上下二段に埋設されていて、連結状態及び亀裂を生じさせた状態においてもブロック部２の上下方向（垂直方向）への撓みを防止し、ブロック部２は連結部５に亀裂を入れても移動や施工の際に、安定した状態で水平状態に保持可能にされている。
【００３１】
また、各ブロック部２の天端には凸部９が設けてあり、該凸部９に対応して各ブロック部２の底面には、組み積みされたブロック部２を固定するための係合凹部１０が設けられている。さらに、所定ブロック部２の天端には、施工や移動の際にクレーンで吊り上げるための吊り金具７が設けられている。
【００３２】
前記連結部５には、河川の線形に合わせた曲線施工を可能にするため、図４のように、該連結部５の前後にＶ字状の誘導目地８が形成されている。該連結部５は前後の誘導目地８から簡単なバールなどの治具を用いて、該連結部にクラックＫを入れて亀裂を生じさせ（図７参照）、河川の形状に合わせて曲げ施工が可能となる。該連結部５に亀裂を入れる際に、前記誘導目地８に沿ってクラックＫを入れることができる結果、亀裂位置が限定されて不必要なひび割れがブロック部２に及ばないようにされている。
【００３３】
張りブロック１２の第一実施例を表した図１０〜図１４で図示したブロックは、法面１１に用いられる連結型の張りブロックである。この張りブロック１２の１枚の大きさは、ほぼ３ｍ２〜５ｍ２の比較的大型のブロックであり、この大型の張りブロック１２を配列して施工する結果、施工面積に対するブロック１２の占有面積が大きいため、施工性が良く省力化を図ることができる。この１枚のほぼ四角形板状体は、複数個のほぼ同じ大きさのブロック体１３に区画して形成されている。
【００３４】
また、各ブロック体１３には、植物の生育のための土砂が溜まりやすく、覆土の流出を防止するために凸状部１７と複数の孔１６が形成されている。
【００３５】
なお、前記のように、植物の生育のための土砂が溜まりやすく、覆土の流出を防止するために凸状部１７と複数の孔１６を形成するのは、後述する、張りブロック１２の第２〜第４実施例の場合も同様である。
【００３６】
張りブロック１２は、隣接するブロック体１３は連結部５で連結し、該連結部５を除いて前記隣接するブロック体１３間には隙間１４が形成されている。
【００３７】
さらに、前記連結部５の高さ方向でほぼ中心位置には、ブロック体１３同士を分離不能に縦横に分離防止筋６が配設されている。
前記分離防止筋６は、クレーン等により２点又は４点で吊り上げても撓まないように、φ６ｍｍ程度の太さの鉄筋を使用するのが良い。このため、張りブロック１２の移動や施工の際に、安定した水平状態に保持可能にされている。
【００３８】
前記連結部５には、該連結部５の表裏面をＶ字状に削設した第２誘導目地８ａが形成されている（図４参照）。該連結部５は表裏面の第２誘導目地８ａから簡単なバールなどの治具を用いて、該連結部５にクラックＫを入れて亀裂を生じさせ（図７参照）、河川の法面１１の起伏形状に合わせて施工が可能となる。該連結部５の第２誘導目地８ａに亀裂を入れる際に、前記第２誘導目地８ａに沿ってクラックＫを入れることができる結果、不規則なクラックＫが発生して不必要なひび割れがブロック体１３に及ばないようにされている。
【００３９】
前記張りブロック１２には、該張りブロック１２の隣接位置に対応するブロック部１３に連結用輪１５が配設されている。
【００４０】
張りブロックの第二実施例を表した図１５−図１８のように、張りブロック１２は、ほぼ四角形板状体で、１枚の大きさがほぼ３ｍ２〜５ｍ２の比較的大型のブロックをほぼ同じ大きさの2個のブロック体１３に区画して製造してもよい。また、張りブロックの第三実施例を表した図１９−図２１のように、張りブロック１２は、ほぼ四角形板状体で、１枚の大きさがほぼ３ｍ２〜５ｍ２の比較的大型のブロックをほぼ同じ大きさの３個のブロック体１３に区画して製造してもよい。
【００４１】
さらに、張りブロックの第四実施例を表した図２２−図２４のように、張りブロック１２は、ほぼ四角形板状体で、１枚の大きさがほぼ３ｍ２〜５ｍ２の比較的大型のブロックをほぼ同じ大きさの９個に区画し、中央ブロック１８と該中央ブロック１８を囲む周囲ブロック１９から構成したものでも良い。
【００４２】
この第四実施例の張りブロック１２では、中央ブロック１８と周囲ブロック１９とが接する部分にフレキシブル（可撓）性を持たせた可撓部２０を設け、かつ周囲ブロック１９同士が接する部分には、第２誘導目地８ａ（図４参照）を削設した連結部５に亀裂を入れる構成とし、法面１１の起伏に対する追従性をもたせた構造とされている。
【００４３】
この第四実施例の中央ブロック１８には、植物や覆土が溜まり、定着可能に、複数の貫通孔１６が設けられ、上面には凸部１７を複数個設けるのがよい。周囲ブロック１９は、前記中央ブロック１８とほぼ同様に複数の貫通孔１６が設けられ、上面には凸部１７を複数個設けられている。
【００４４】
また、中央ブロック１８と該中央ブロック１８を囲む８個の周囲ブロック１９とは、分離防止筋６により分離不能に連結されている。すなわち、上記中央ブロック１８と周囲ブロック１９とが接する４箇所の可撓部２０は、分離防止筋６だけで連結され、周囲ブロック１９同士は連結部５及び分離防止筋６により分離不能に連結されている。また、周囲ブロック１９には、隣接する張りブロック１２同士を連結する連結用輪１５が取り付けられ、隣接する張りブロック１２同士を連結金具で連結可能にされている。
【図面の簡単な説明】
【００４５】
【図１】本発明における河川護岸用ブロックの平面図である。
【図２】本発明における河川護岸用ブロックの正面図である。
【図３】本発明における河川護岸用ブロックの側面図である。
【図４】本発明における河川護岸用ブロックの連結部の要部拡大図である。
【図５】本発明における河川護岸用ブロックの曲線施工斜視図である。
【図６】本発明における河川護岸用ブロックの曲線施工状態図である。
【図７】誘導目地部分におけるクラック状態説明図である。
【図８】組み積みブロックの施工例正面図である。
【図９】組み積みブロックの施工例説明図である。
【図１０】本発明における張りブロックの第一実施例の平面図である。
【図１１】本発明における張りブロックの第一実施例の正面図である。
【図１２】本発明における張りブロックの第一実施例の右側面図である。
【図１３】本発明における張りブロックの第一実施例のＡ―Ａ断面図である。
【図１４】本発明における張りブロックの第一実施例の斜視図である。
【図１５】本発明における張りブロックの第二実施例の斜視図である。
【図１６】本発明における張りブロックの第二実施例の平面図である。
【図１７】本発明における張りブロックの第二実施例の正面図である。
【図１８】本発明における張りブロックの第二実施例のＢ―Ｂ断面図である。
【図１９】本発明における張りブロックの第三実施例の平面図である。
【図２０】本発明における張りブロックの第三実施例の正面図である。
【図２１】本発明における張りブロックの第三実施例のＣ―Ｃ断面図である。
【図２２】本発明における張りブロックの第四実施例の平面図である。
【図２３】本発明における張りブロックの第四実施例の正面図である。
【図２４】本発明における張りブロックの第四実施例のＤ―Ｄ断面図である。
【符号の説明】
【００４６】
１    護岸用ブロック
２    ブロック部
３    切り込み部
４    側面
５    連結部
６    分離防止筋
７    吊り金具
８    誘導目地
８ａ  第２誘導目地
９    凸部
１０  係合凹部
１１  法面
Ｌ    奥行き幅
１２  張りブロック
１３  ブロック体
１４  隙間
１５  連結用輪
１６  孔
１７  凸状部
１８  中央ブロック
１９  周囲ブロック
２０  可撓部
【図１】
0005099423.tif 000002
【図２】
0005099423.tif 000003
【図３】
0005099423.tif 000004
【図４】
0005099423.tif 000005
【図５】
0005099423.tif 000006
【図６】
0005099423.tif 000007
【図７】
0005099423.tif 000008
【図８】
0005099423.tif 000009
【図９】
0005099423.tif 000010
【図１０】
0005099423.tif 000011
【図１１】
0005099423.tif 000012
【図１２】
0005099423.tif 000013
【図１３】
0005099423.tif 000014
【図１４】
0005099423.tif 000015
【図１５】
0005099423.tif 000016
【図１６】
0005099423.tif 000017
【図１７】
0005099423.tif 000018
【図１８】
0005099423.tif 000019
【図１９】
0005099423.tif 000020
【図２０】
0005099423.tif 000021
【図２１】
0005099423.tif 000022
【図２２】
0005099423.tif 000023
【図２３】
0005099423.tif 000024
【図２４】
0005099423.tif 000025